(57)【要約】      （修正有）【課題】鉛筆削り時に鉛筆の回転方向に沿って大きなトルクが発生しても、鉛筆削り器を固定できる支持部を有して上記のトルクに十分耐えることができ、また、鉛筆削り器の削り口が側方に開放されて、筆入れを立て向きにしなくても容易に鉛筆削り器を使用することができ、また、削り口を２穴構造にすることも可能で、さらに、削り口を覆うカバー部材が不要で部品点数の増加を回避できる鉛筆削り器付き筆入れを提供する。【解決手段】鉛筆削り器１３を一方向に回転させることにより、その削り口２２，２３が筆入れケース１２の側方に表出すると共に、他方向に回転させることにより筆入れケースの内部に上記削り口が隠蔽されるように構成されている。【選択図】図１
0003107474.tif 000002
【実用新案登録請求の範囲】
【請求項１】
鉛筆削り器を一方向に回転させることにより、その削り口が筆入れケースの側方に表出すると共に、他方向に回転させることにより筆入れケースの内部に上記削り口が隠蔽されるように構成されていることを特徴とする鉛筆削り器付き筆入れ。
【請求項２】
上記鉛筆削り器の周面部は平面円弧状部を有して形成され、上記周面部には削り口が配置されると共に、上記筆入れケースの端部には上記平面円弧状部と略同一の曲率を有する内周面部と外方へ開口する開口部とを備えた切り欠き部を有し、上記切り欠き部には上記鉛筆削り器が回転自在に収納され、
鉛筆削り器の使用時には上記鉛筆削り器を回転させることにより上記開口部に削り口が表出すると共に、不使用時には上記鉛筆削り器を回転させることにより上記削り口が開口部から表出しないように構成されていることを特徴とする請求項１記載の鉛筆削り器付き筆入れ。
【請求項３】
上記鉛筆削り器は、上記削り口が上記開口部において表出する方向へ回転するように付勢部材により付勢されていることを特徴とする請求項２記載の鉛筆削り器付き筆入れ。
【請求項４】
上記筆入れケースには、上記鉛筆削り器を上記付勢部材の付勢方向とは反対方向へ回転させて上記削り口を筆入れケース内部に隠蔽した状態を固定しうる係止手段が設けられると共に、上記鉛筆削り器に被係止部が設けられ、また、上記係止状態を解消させて上記鉛筆削り器を上記削り口が上記開口部において表出する方向へ回転させる係止解除部材が上記筆入れケースに設けられていることを特徴とする請求項３記載の鉛筆削り器付き筆入れ。
【請求項５】
上記係止解除部材として押しボタンが上記筆入れケースの上面部に配設されると共に、上記押しボタンの下端部に上記係止手段としてのフック部が設けられ、また、上記鉛筆削り器の底面部に上記被係止部として上記フック部が係止可能な切欠溝が設けられていることを特徴とする請求項４記載の鉛筆削り器付き筆入れ。
【請求項６】
上記鉛筆削り器は、鉛筆の削り長さを異にする複数種類の削り口を有していることを特徴とする請求項１、２、３、４又は５記載の鉛筆削り器付き筆入れ。
【請求項７】
上記鉛筆削り器は、上面部が開閉自在な蓋に形成され、その蓋を開くことにより内部に溜まった削りカスを排出しうるように構成されていることを特徴とする請求項１、２、３、４、５又は６記載の鉛筆削り器付き筆入れ。
【考案の詳細な説明】
【技術分野】
【０００１】
本考案は筆入れに係り、特に、鉛筆削り器が一体化された筆入れに関する。
【背景技術】
【０００２】
鉛筆削り器には、手動式のものと、電動式のものが存在する。
【０００３】
手動式のものは単品で形成され、筆入れ等に収納されて携帯されることが多いが、紛失する可能性があった。これに対し、電動式のものは大型で携帯することができず、机上等に設置されることが多かった。
【０００４】
また、手動式鉛筆削り器を一体化した鉛筆削り器付き筆入れが各種考案されている。
これら筆入れは、鉛筆を削る場合に鉛筆削り器の削り口を開放すると共に、使用しない場合は削りカスが零れ落ちないように削り口を塞ぐように構成されている。
【０００５】
従来の鉛筆削り器付き筆入れには、削り口を開放するために、主に、鉛筆削り器が上方へ突出する方式のものと、側方へ突出する方式のものと、突出はせずに削り口を覆うカバーが開閉する方式のものとが存在する。
【０００６】
従来の、鉛筆削り器が上方へ突出する方式のものは、鉛筆削り器が筆入れ内部において鉛筆削り器下方より付勢手段により上方へ付勢され、ポップアップするように構成されている。
このような方式のものは、鉛筆削り時には、鉛筆の回転方向に沿って大きなトルクが発生するが、鉛筆削り器下方には固定できる支持部材が配設されていないことから、固定的な支持は不可能である。その結果、経年時には上記大きなトルクに耐えきれず破損する虞がある。
【０００７】
また、従来の、鉛筆削り器が側方へ突出する方式のものは、上記の鉛筆削り器が上方へ突出する方式のものと同様な構造を有することから、同様な不具合があり、さらに、固定的な支持部材が存在しないことから、２本の鉛筆を削りうるような突出幅は形成できず、削り口を2穴構造にできないという事情があり、極めて不便であった。
【０００８】
また、従来の、鉛筆削り器が突出せず、削り口を覆うカバーが開閉する方式のものは、筆入れの長さ方向の端部に鉛筆削り器が配置されており、通常、筆入れは長さ方向を横にして使用する場合が多いが、鉛筆削り器を使用する場合は、その都度、立て方向に直して使用せざるを得ず、使用が煩雑であるという不具合がある。
また、カバー部材が必要となるので、部品点数が嵩みコスト高になるという不具合もある。
【０００９】
本出願人は上記不具合を解消できる鉛筆削り器付筆入れについて調査したが、関連する先行技術文献は発見できなかった。
【考案の開示】
【考案が解決しようとする課題】
【００１０】
本考案の課題は、鉛筆削り時に鉛筆の回転方向に沿って大きなトルクが発生しても、鉛筆削り器を固定できる支持部を有して上記のトルクに十分耐えることができ、また、鉛筆削り器の削り口が側方に開放されて、筆入れを立て向きにしなくても容易に鉛筆削り器を使用することができ、また、削り口を２穴構造にすることも可能で、さらに、削り口を覆うカバー部材が不要で部品点数の増加を回避できる鉛筆削り器付き筆入れを提供することにある。
【課題を解決するための手段】
【００１１】
上記課題を解決するために、請求項１記載の本考案に係る鉛筆削り器付き筆入れは、鉛筆削り器を一方向に回転させることにより、その削り口が筆入れケースの側方に表出すると共に、他方向に回転させることにより筆入れケースの内部に上記削り口が隠蔽されるように構成されていることを特徴とするものである。
【００１２】
即ち、本考案に係る鉛筆削り器付き筆入れにあっては、鉛筆削り器が筆入れケースに対し回転可能に取り付けられ、その回転により削り口が表出したり、隠蔽されるように構成されている。従って、削り口を表出させるために鉛筆削り器を筆入れケースの上方や側方へ突出させる必要がない。また、削り口を隠蔽するためのカバーも不要となる。
【００１３】
また、請求項２記載の本考案に係る鉛筆削り器付き筆入れは、上記鉛筆削り器の周面部が平面円弧状部を有して形成され、上記周面部には削り口が配置されると共に、上記筆入れケースの端部には上記平面円弧状部と略同一の曲率を有する内周面部と外方へ開口する開口部とを備えた切り欠き部を有し、上記切り欠き部には上記鉛筆削り器が回転自在に収納され、
鉛筆削り器の使用時には上記鉛筆削り器を回転させることにより上記開口部に削り口が表出すると共に、不使用時には上記鉛筆削り器を回転させることにより上記削り口が開口部から表出しないように構成されていることを特徴とする。
【００１４】
即ち、本考案に係る鉛筆削り器付き筆入れにあっては、上記鉛筆削り器が上記筆入れケースに設けられた切り欠き部に収納され、鉛筆削り器の周面部における上記平面円弧状部が、その平面円弧状部と略同一の曲率を有する切り欠き部の内周面部に沿って摺動することにより回転可能となる。そして、上記鉛筆削り器の周面部に配置された上記削り口が、上記切り欠き部に形成された上記開口部の位置まで回転したときに、上記削り口は表出した状態となり、鉛筆を削ることができる。また、不使用時は、上記削り口を上記開口部と異なる位置まで回転させて、その削り口を隠蔽した状態にすることができる。
【００１５】
また、請求項３記載の本考案に係る鉛筆削り器付き筆入れは、上記鉛筆削り器が、上記削り口が上記開口部において表出する方向へ回転するように付勢部材により付勢されていることを特徴とする。
【００１６】
即ち、本考案に係る鉛筆削り器付き筆入れにあっては、上記削り口を上記開口部において表出させる場合は、付勢部材の付勢力を用いることにより、上記鉛筆削り器を手動により回転させる必要はない。但し、上記削り口を隠蔽する場合は、上記付勢部材の付勢力に抗して手動により上記鉛筆削り器を逆方向に回転させる。
【００１７】
また、請求項４記載の本考案に係る鉛筆削り器付き筆入れは、上記筆入れケースには、上記鉛筆削り器を上記付勢部材の付勢方向の逆方向へ回転させて上記削り口を筆入れケース内部に隠蔽した状態を固定しうる係止手段が設けられると共に、上記鉛筆削り器に被係止部が設けられ、また、上記係止状態を解消させて上記鉛筆削り器を上記削り口が上記開口部において表出する方向へ回転させる係止解除部材が上記筆入れケースに設けられていることを特徴とする。
【００１８】
即ち、本考案に係る鉛筆削り器付き筆入れにあっては、上記付勢部材の付勢力に抗して上記削り口を筆入れケース内部に隠蔽した状態を固定する場合は、上記筆入れケースに設けられた上記係止手段と、上記鉛筆削り器に設けられた上記被係止部とを係止させる。また、上記係止解除部材により上記係止手段と上記被係止部の係止状態を解消すれば、上記鉛筆削り器の固定状態が解消され、上記鉛筆削り器は上記付勢部材の付勢力により上記削り口が表出する方向へ回転可能となる。
【００１９】
また、請求項５記載の本考案に係る鉛筆削り器付き筆入れは、上記係止解除部材として押しボタンが上記筆入れケースの上面部に配設されると共に、上記押しボタンの下端部に上記係止手段としてのフック部が設けられ、また、上記鉛筆削り器の底面部に上記被係止部として上記フック部が係止可能な切欠溝が設けられていることを特徴とする。
【００２０】
即ち、本考案に係る鉛筆削り器付き筆入れにあっては、上記押しボタンの下端部に設けられた上記フック部を、上記鉛筆削り器の底面部に設けられた上記切欠溝に係止させることにより、上記付勢部材の付勢力に抗して上記削り口を筆入れケース内部に隠蔽した状態を固定することができる。また、上記押しボタンを押し下げることにより、上記フック部を上記切欠溝から外して係止状態を解消することができる。
【００２１】
また、請求項６記載の本考案に係る鉛筆削り器付き筆入れは、上記鉛筆削り器が、鉛筆の削り長さを異にする複数種類の削り口を有していることを特徴とする。
【００２２】
即ち、本考案に係る鉛筆削り器付き筆入れにあっては、複数種類の削り口を必要に応じ選択して使用することができ、鉛筆の削り長さを変えたい場合は、使用する削り口を変更すればよい。
【００２３】
また、請求項７記載の本考案に係る鉛筆削り器付き筆入れは、上記鉛筆削り器の上面部が開閉自在な蓋に形成され、その蓋を開くことにより内部に溜まった削りカスを排出しうるように構成されていることを特徴とする。
【００２４】
即ち、本考案に係る鉛筆削り器付き筆入れにあっては、上記鉛筆削り器の内部に溜まった削りカスを、上記蓋を開くことにより排出することができる。
【考案の効果】
【００２５】
請求項１記載の本考案に係る鉛筆削り器付き筆入れは、鉛筆削り器を一方向に回転させることにより、その削り口が筆入れケースの側方に表出すると共に、他方向に回転させることにより筆入れケースの内部に上記削り口が隠蔽されるように構成されていることから、鉛筆削り時に、上記鉛筆削り器を単に一方向に回転させて上記削り口を表出させるだけでよく、筆入れケースの上方や側方へ突出させ必要がないので、上記鉛筆削り器を上記筆入れケースの内部で確実に支持することができる。
従って、鉛筆削り時に大きな回転トルクが発生しても、当該トルクに対して十分に耐えることができるので、破損を防止することが可能となり耐久性が向上する。
また、不使用時には、上記削り口が筆入れケース内部に隠蔽されるので、開閉式のカバー部材が不要となり、部品点数の増加を回避し、コストを低減することができる。
【００２６】
また、請求項２記載の本考案に係る鉛筆削り器付き筆入れは、上記鉛筆削り器の周面部は平面円弧状部を有して形成され、上記周面部には削り口が配置されると共に、上記筆入れケースの端部には上記平面円弧状部と略同一の曲率を有する内周面部と外方へ開口する開口部とを備えた切り欠き部を有し、上記切り欠き部には上記鉛筆削り器が回転自在に収納され、鉛筆削り器の使用時には上記鉛筆削り器を回転させることにより上記開口部に削り口が表出すると共に、不使用時には上記鉛筆削り器を回転させることにより上記削り口が開口部から表出しないように構成されていることから、上記鉛筆削り器の周面部を、上記切り欠き部の上記内周面部に沿って摺動させることにより、上記鉛筆削り器を容易かつ円滑に回転させることができる。
また、上記鉛筆削り器の上記周面部が上記切り欠き部の上記内周面部により固定的に支持されるので、鉛筆削り時に回転トルクが発生した場合にあっても、当該トルクに十分耐えることができ、破損するおそれがなく、耐久性に優れている。
また、上記削り口は上記開口部において表出させることができるので、上記削り口を表出するために上記鉛筆削り器を筆入れケースから突出させる必要がなく、構造の複雑化を回避してコストを低減することができる。
【００２７】
また、請求項３記載の本考案に係る鉛筆削り器付き筆入れにあっては、上記鉛筆削り器は、上記削り口が上記開口部において表出する方向へ回転するように付勢部材により付勢されていることから、上記鉛筆削り器は上記付勢部材の付勢力で回転して上記削り口を表出することになる。従って、鉛筆削り器を手動で回転させる必要がなく、操作が容易で使い勝手が良い。
【００２８】
また、請求項４記載の本考案に係る鉛筆削り器付き筆入れにあっては、上記筆入れケースには、上記鉛筆削り器を上記付勢部材の付勢方向の逆方向へ回転させて上記削り口を筆入れケース内部に隠蔽した状態を固定しうる係止手段が設けられると共に、上記鉛筆削り器に被係止部が設けられ、また、上記係止状態を解消させて上記鉛筆削り器を上記削り口が上記開口部において表出する方向へ回転させる係止解除部材が上記筆入れケースに設けられていることから、上記被係止部に上記係止手段を係止することにより、上記削り口を筆入れケース内部に隠蔽して固定した状態を安定させることができる。
また、上記係止解除部材により上記係止手段の係止状態を容易に解消できるので、上記削り口を表出させる操作も容易となる。
【００２９】
また、請求項５記載の本考案に係る鉛筆削り器付き筆入れにあっては、上記係止解除部材として押しボタンが上記筆入れケースの上面部に配設されると共に、上記押しボタンの下端部に上記係止手段としてのフック部が設けられ、また、上記鉛筆削り器の底面部に上記被係止部として上記フック部が係止可能な切欠溝が設けられていることから、上記押しボタンを押すことにより上記切欠溝に係止していた上記フック部を上記切欠溝から外して係止状態を解消することができるので、上記削り口を表出するための操作が容易で使い勝手が良好となる。
【００３０】
また、請求項６記載の本考案に係る鉛筆削り器付き筆入れにあっては、上記鉛筆削り器は、鉛筆の削り長さを異にする複数種類の削り口を有していることから、使用者は上記複数種類の削り口を選択的に使用することができ、使用者の好みに合った削り長さにすることができる。
【００３１】
また、請求項７記載の本考案に係る鉛筆削り器付き筆入れにあっては、上記鉛筆削り器は、上面部が開閉自在な蓋に形成され、その蓋を開くことにより内部に溜まった削りカスを排出しうるように構成されていることから、上記蓋を開くことにより削りカスを極めて容易に排出することができることから利便性に富む。
【考案を実施するための最良の形態】
【００３２】
以下、図面を用いて本考案の実施の形態について説明する。
本実施形態に係る鉛筆削り器付き筆入れ１１は、図１及び図２に示すように、鉛筆削り器１３を一方向に回転させることにより、その削り口２２，２３が筆入れケース１２の側方に表出すると共に、他方向に回転させることにより筆入れケース１２の内部に上記削り口２２，２３が隠蔽されるように構成されている。
また、図１〜図３に示すように、上記鉛筆削り器１３の周面部４３は平面円弧状部２０を有して形成され、上記周面部には削り口２２，２３が配置されると共に、上記筆入れケース１２の端部には上記平面円弧状部２０と略同一の曲率を有する内周面部４４と外方へ開口する開口部１７とを備えた切り欠き部１８を有し、上記切り欠き部１８には上記鉛筆削り器１３が回転自在に収納され、鉛筆削り器１３の使用時には上記鉛筆削り器１３を回転させることにより上記開口部１７に削り口２２，２３が表出すると共に、不使用時には上記鉛筆削り器１３を回転させることにより上記削り口２２，２３が開口部１７から表出しないように構成されている。
また、上記鉛筆削り器１３は、図１に示すように上記削り口２２，２３が上記開口部１７において表出する方向へ回転するように、図４に示すように付勢部材２６により付勢されている。
また、上記筆入れケース１２には、図２、図４及び図５に示すように、上記鉛筆削り器１３を上記付勢部材２６の付勢方向の逆方向へ回転させて上記削り口２２，２３を筆入れケース１２内部に隠蔽した状態を固定しうる係止手段３７が設けられると共に、上記鉛筆削り器１３に被係止部３９が設けられ、また、上記係止状態を解消させて上記鉛筆削り器１３を上記削り口２２，２３が上記開口部１７において表出する方向へ回転させる係止解除部材３４が上記筆入れケース１２に設けられている。
また、図４及び図５に示すように、上記係止解除部材３４として押しボタン３５が上記筆入れケース１２の上面部に配設されると共に、上記押しボタン３５の下端部に上記係止手段３７としてのフック部３８が設けられ、また、上記鉛筆削り器１３の底面部に上記被係止部３９として上記フック部３８が係止可能な切欠溝４０が設けられている。
また、上記鉛筆削り器１３は、図１及び図３に示すように、鉛筆の削り長さを異にする複数種類の削り口２２，２３を有している。
また、上記鉛筆削り器は、図３に示すように、上面部が開閉自在な蓋４１に形成され、その蓋４１を開くことにより内部に溜まった削りカスを排出しうるように構成されている。
【実施例１】
【００３３】
本実施例に係る鉛筆削り器付き筆入れ１１は、図１〜図３に示すように、扁平直方体に形成された筆入れケース１２の長さ方向の一端角部に鉛筆削り器１３が配置されている。
【００３４】
上記筆入れケース１２は、プラスチックで成形され、図１〜図３に示すように、上下両面側に、それぞれ筆記具等の収納凹部が形成され、それら収納凹部は開閉自在な蓋板１４，１５により覆われている。また、上面側の端部には小サイズの消しゴム等の収納凹部も形成され、同様に開閉自在な蓋板１６により覆われている。なお、筆入れケースの構造は自由であり、本実施例に限定されるものではない。
【００３５】
上記筆入れケース１２の長さ方向の一端角部には、図１〜図３に示すように、上方へ開口すると共に、側面にも外方へ開口する開口部１７を有する切り欠き部１８が形成されている。
【００３６】
上記切り欠き部１８は、図１〜図３に示すように、平面略円形で、上記開口部１８以外の内周面部に平面円弧状部１９が形成されている。
【００３７】
上記鉛筆削り器１３も、図１〜図３および図５に示すように、平面略円形に形成され、その周面部４３に平面円弧状部２０を有している。この平面円弧状部２０は、上記切り欠き部１８の内周面部４４に形成された平面円弧状部１９と同一の曲率を有するように形成されている。
なお、上記鉛筆削り器１３の周面部において、上記平面円弧状部２０以外の個所は平坦側面部２１に形成されている。
【００３８】
上記鉛筆削り器１３の周面部における上記平面円弧状部２０には、図１に示すように、鉛筆の先端部を挿入しうる削り口２２，２３が二箇所にほぼ平行に配設されている。これら、削り口２２，２３は内方へ至るに従って先細になるように略円錐状に形成され、図３に示すように、その削り口２２，２３には長さ方向に沿って刃部材２４，２５が配置されている。それら刃部材２４，２５は上記削り口２２，２３に挿入した鉛筆を一方向に回転した場合に、その鉛筆の外周部に刃先が当たるように配置されている。
【００３９】
上記削り口２２，２３は、鉛筆の削り長さを異ならせるために、互いに傾斜角度が異なって形成され、また、図３に示すように、上記刃部材２４，２５も長さを異なって形成されている。
【００４０】
上記鉛筆削り器１３は、図１〜図３に示すように、上記切り欠き部１８に、扁平直方体に形成された筆入れ１２の平面方向において、図４に示すように、高さ方向に沿って上記きり欠き部１８内に設けられた軸部２８に固定されて回転可能に収納されている。
即ち、上記鉛筆削り器13 の周面部における上記平面円弧状部２０が上記切り欠き部１８の内周面部における上記平面円弧状部１９に接触して摺動することにより、上記鉛筆削り器13 は上記切り欠き部１８内において回転可能となっている。
【００４１】
上記切り欠き部１８には上記開口部１７が設けられ、この開口部１７は、図１に示すように、上記鉛筆削り器13 が反時計方向に回転した場合に、上記削り口２２，２３を筆入れケース１２の側方に表出させるように形成されている。
【００４２】
また、上記切り欠き部１８は、図２に示すように、上記鉛筆削り器13 を時計回りに回転させた場合に、上記削り口２２，２３を内部に隠蔽するように形成されている。
【００４３】
上記鉛筆削り器13 の底面部には、図４及び図５に示すように、付勢部材２６として捩りコイルスプリング２７が装着されている。
【００４４】
上記捩りコイルスプリング２７は、図４及び図５に示すように、上記鉛筆削り器13 の中心部に設けられた軸部２８の下端部おいて、コイル部２９が装着され、上記コイル部２９の一端から延長して設けられた係止部３０が鉛筆削り器13 の被係止部３１に係止されると共に、上記コイル部２９の他端から延長して設けられた係止部３２が筆入れケース１２に設けられた被係止部３３に係止されている。
【００４５】
上記捩りコイルスプリング２７は、上記鉛筆削り器13 を、上記削り口２２，２３が上記開口部１７において表出する方向（本実施例においては時計方向）へ回転するように付勢している。
【００４６】
また、上記筆入れケース１２の上面には、図１〜図５に示すように、上記鉛筆削り器１３の近傍に、上記係止解除部材３４としての押しボタン３５が配置されている。
【００４７】
上記押しボタン３５は上下方向へ変位可能で、図５に示すように、コイルスプリング３６により上方へ付勢されている。
【００４８】
上記押しボタン３５の下端部には、図５に示すように、上記係止手段３７としてフック部部３８が一体に形成されている。
【００４９】
また、上記鉛筆削り器13 の底面部における周端部には、図４及び図５に示すように、上記被係止部３９として切欠溝４０が形成されている。
【００５０】
上記フック部３８は、図２に示すように上記鉛筆削り器13 を上記捩りコイルスプリング２７の付勢方向の逆方向へ回転させて、上記削り口２２，２３を筆入れケース１２の内部に隠蔽した状態で、図４及び図５に示すように、上記切欠溝４０に係止して、上記鉛筆削り器13 を固定している。
【００５１】
上記押しボタン３５を下方へ押し下げると、上記フック部３８が上記切欠溝４０から外れて係止状態が解消され、上記鉛筆削り器13 は上記捩りコイルスプリング２７の付勢力により上記削り口２２，２３が上記開口部１７において表出する方向へ回転する。
【００５２】
また、上記鉛筆削り器13 は、図３に示すように、上面部が開閉自在な蓋４１が設けられている。この蓋４１はヒンジ部４２を介して上下方向へ開閉可能に取り付けられ、上方へ回転させて上記蓋４１を開くことにより、上記鉛筆削り器13 の内部に溜まった削りカスを排出することができる。
【作用】
【００５３】
使用する場合、即ち鉛筆を削る場合は、上記押しボタン３５を下方へ押し下げることにより、上記フック部３８を上記切欠溝４０から外して係止状態を解消する。これにより、上記鉛筆削り器13 は上記捩りコイルスプリング２７の付勢力により上記削り口２２，２３が上記開口部１７に表出する方向へ回転する。従って、上記削り口２２，２３を手動により表出させる煩雑がなく、上記削り口２２，２３を表出させる作業が極めて容易で使い勝手が良い。
【００５４】
上記削り口２２，２３が上記開口部１７において表出した状態で、その削り口２２，２３へ鉛筆を挿入して回転させれば、鉛筆を削ることができる。その場合、削り長さを異にする複数の削り口２２，２３が存在するので、使用者はその中から必要に応じて選択することができる。即ち、選択する削り口２２，２３を変更すれば、鉛筆の削り長さを変えることができる。
【００５５】
鉛筆を削る際、鉛筆を回転させることにより筆入れケース１２の高さ方向における回転トルクが発生するが、上記鉛筆削り器13 は筆入れケース１２の切り欠き部１８の内部において軸部２８に固定されていると共に、周面部４３と同一曲率を有する内周面部４４を有する切り欠き部１８内に収納されていることから、上記回転トルクが発生した場合であっても、鉛筆削り器13 はその回転トルクに十分に耐えることができる。従って、鉛筆削り器13 は破損しにくく、耐久性が向上する。
【００５６】
鉛筆削り作業が終了したら、手動により、上記鉛筆削り器13 を上記捩りコイルスプリング２７の付勢方向（反時計方向）とは反対方向（時計方向）へ回転させて、上記削り口２２，２３を筆入れケース１２の内部に隠蔽させる。このとき、上記フック部３８が上記切欠溝４０に係止して、上記鉛筆削り器13 は固定される。従って、不使用時に、上記削り口２２，２３を塞ぐためにカバー部材が不要となり、部品点数を減少させることができる。
本実施例においては、上記付勢手段として捻りコイルスプリングを使用したが上記実施例に限定されず、他の付勢手段を使用してもよい。また、本実施例においては、鉛筆削り器が扁平直方体の鉛筆削りケースの平面方向に沿って回動する場合を例に説明したが、上記実施例に限定されず、高さ方向に回転するように構成されていてもよく、本実施例には限定されない。
【産業上の利用可能性】
【００５７】
本考案は、筆入れケースに鉛筆削り器が一体化された全ての鉛筆削り器付き筆入れに適用可能である。
【図面の簡単な説明】
【００５８】
【図１】本発明に係る鉛筆削り器の一実施の携帯を示し、鉛筆削り器の削り口を外方へ表出させた状態の斜視図である。
【図２】同様に鉛筆削り器の削り口を筆入れケースの内部に隠蔽した状態の斜視図である。
【図３】同様に鉛筆削り器の蓋を開いた状態の斜視図である。
【図４】同様に鉛筆削り器の削り口を表出させるための付勢機構を示す平面図である。
【図５】同様に鉛筆削り器の削り口を筆入れケースの内部に隠蔽した状態を係止する係止機構を示す要部断面図である。
【符号の説明】
【００５９】
１１  鉛筆削り器付き筆入れ
１２  筆入れケース
１３  鉛筆削り器
１４  蓋板
１５  蓋板
１６  蓋板
１７  開口部
１８  切り欠き部
１９  平面円弧状部
２０  平面円弧状部
２１  平坦側面部
２２  削り口
２３  削り口
２４  刃部材
２５  刃部材
２６  付勢部材
２７  捩りコイルスプリング
２８  軸部
２９  コイル部
３０  係止部
３１  被係止部
３２  係止部
３３  被係止部
３４  係止解除部材
３５  押しボタン
３６  コイルスプリング
３７  係止手段
３８  フック部
３９  被係止部
４０  切欠溝
４１  蓋
４２  ヒンジ部
【図１】
0003107474.tif 000003
【図２】
0003107474.tif 000004
【図３】
0003107474.tif 000005
【図４】
0003107474.tif 000006
【図５】
0003107474.tif 000007
【手続補正書】
【提出日】平成16年9月2日(2004.9.2)
【手続補正１】
【補正対象書類名】図面
【補正対象項目名】全図
【補正方法】変更
【補正の内容】
【図１】
0003107474.tif 000008
【図２】
0003107474.tif 000009
【図３】
0003107474.tif 000010
【図４】
0003107474.tif 000011
【図５】
0003107474.tif 000012